Podtech/llm-jp-corpus-v4-ja_patent huggingface dataset:
(57)【要約】      （修正有）【課題】スマートフォン及びパソコンのタッチパネルで、他ウェブへの移動する箇所、入力箇所、画像表示へ変わる箇所を誤タッチすることなく閲覧できるスマートフォンまたはタブレット端末を提供する。【解決手段】タッチパネルの右上もしくは左上にボタン２を備えた、スマートフォンまたはタブレット端末であって、前記ボタンは、画面全体について、他ウェブへの移動を禁止するものとし、入力を禁止するものとし、さらに、拡大、縮小、移動のみを可能にするパネル状態とするためのボタンであり、ボタンには、パネル状態となっているか否かを示すランプが備えられていることを特徴とする。【選択図】図１
0003184493.tif 000002
【実用新案登録請求の範囲】
【請求項１】
スマートフォンにおいて、タッチパネルの青文字や画像部分等に指が触れると、他画面にアクセスしてしまうので、スクロールする際に妨げとなる。それを一時入力禁止状態にし、拡大、縮小移動だけを可能にし閲覧しやすくする。
【請求項２】
スマートフォンの右上もしくは左上にスイッチを置き、ボタンを押して、ランプが着いていると、絋大、縮小、移動のみでき、自由に（他画面に移ってしまうことを気にせずに）見ることができる。
又、ボタンを押して、ランプが消えると、通常のアクセス、入力可能画面のパネルになる。ボタンが右上もしくは左上にあるのは、下にあると、うっかり押してしまうためである
【考案の詳細な説明】
【技術分野】
【０００１】今までのスマートフォンは、タッチパネルを指操作で画面にあるものを拡大、縮小、移動を自由自在に見ることができるが、他のウェブに移る青文字、画像などに触れると、すぐに移ってしまうので閲覧をスピーディーに又、ミスタッチなく見るのが困難になります。それを一つのボタンにより、他サイトへの移動、もしくは入力部分を全画面禁止状態にし、拡大、縮小、移動のみ可能にします。
【背景技術】
【０００２】従来のスマートフォンは、タッチパネル、及びキーボードを備え、画面はタッチ操作で作動する部分はいつでもタッチすると作動するようになっている、又、タッチ操作できるパソコンも同じである。又、指操作により、拡大、縮小、移動が可能で閲覧しやすくなっている。
【先行技術文献】
【特許文献】
【０００３】
【特許文献１】特開２００８−２８７３７５
【考案の概要】
【考案が解決しようとする課題】
【０００４】従来のスマートフォン、及びパソコンのタッチパネルでは、閲覧の際、他ウェブに移る部分に指が触れると意図していないウェブや、入力をしてしまうので、自由自在に閲覧するのが一時不便になる。【０００５】一部入力不可画面を作るよりも、タッチパネル外に、ボタンを置いて、全体画面を入力不可画面にしないと指がふれて、ミスタッチをおこしやすい【０００６】単なる入力不可であると、拡大縮小、移動ができず、閲覧しにくい
【課題を解決するための手段】
【０００７】上記の問題を解決するために、ボタン操作により、他ウェブへの移動禁止及び入力禁止を全面にし、拡大、縮小、移動のみを可能にするパネル状態にする。【０００８】前に記述したボタンは、モニターの部分の右上、左上にすることにより、意図せずに押す可能性が少ないものとする【０００９】又、前述のボタンは使用中は赤等ランプでわかりやすくし、通常画面は消えるものとする。
【考案の効果】
【００１０】意図せず他ウェブや画像操作にならず、自由自在に、集中して、画面を閲覧することができる。絋大、縮小、移動ができる【００１１】上記画面状態にするボタンをパネル部分外に装着することによりパネル操作が妨げられないようにできる【００１２】上記ボタンにランプを付けることにより、移動禁止及び入力禁止状態がわかる。
【図面の簡単な説明】
【００１３】
【図１】本考案が行なわれるボタンの位置で、スマートフォンの場合である。
【図２】本考案が行われるボタンの位置で、タブレットの場合である。
【図３】本考案が行われるボタンの位置で、タッチパネルのパソコンの場合である。
【考案を実施するための形態】
【００１４】考案のボタンを押すと、青文字や画像や入力箇所も全部、拡大、縮小、移動しかできない単純画面にする。
そしてボタンを押すと、通常になるようにする。
【実施例】
【００１５】ボタンの位置は、スマートフォンやタブレット端末のように手で持つタイプと、パソコンのように、置いて使うものと違うものにする。手で持つスマートフォンやタブレットは右ききの人に合わせて右上にする。下だと誤って押すことがあるからである。
パソコンは、デスク上に置いた場合、上だと手を上にすることになるので右下に置く。
【符合の説明】
【００１６】１  スマートフォン本体
２  本考案のスマートフォン用ボタン
３  タブレット本体
４  本考案のタブレット用ボタン
５  パソコン本体
６  本考案のパソコン用ボタン
【図１】
0003184493.tif 000003
【図２】
0003184493.tif 000004
【図３】
0003184493.tif 000005
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
タッチパネルの右上もしくは左上にボタンを備えた、スマートフォンまたはタブレット端末であって、前記のボタンは、画面全体について、他ウェブへの移動を禁止するものとし、入力を禁止するものとし、さらに、拡大、縮小、移動のみを可能にするパネル状態とするためのボタンであり、前記ボタンには、前記パネル状態となっているか否かを示すランプが備えられていることを特徴とするスマートフォンまたはタブレット端末。
【請求項２】
モニターのパネル外の右下にボタンを備えたパソコンであって、前記ボタンは、画面全体について、他ウェブへの移動を禁止するものとし、入力を禁止するものとし、さらに、拡大、縮小、移動のみを可能にするパネル状態とするためのボタンであり、前記ボタンには、前記パネル状態となっているか否かを示すランプが備えられていることを特徴とするパソコン。
(57)【要約】      （修正有）【課題】雨戸やガラス戸や障子戸等を通して室外からの直射日光や熱気や冷気等が室内の温度環境の悪化に影響することを低減させ、省エネに役立つ遮蔽形体を提供する。【解決手段】雨戸やガラス戸や障子戸等の室内側の空きスペースに断熱体１をはめ込むことより成り、断熱体が冷暖熱を遮蔽する効果を利用することにより、室内への温度環境の悪化を低減させることを特徴とする。【選択図】図１
0003184401.tif 000002
【実用新案登録請求の範囲】
【請求項１】
雨戸やガラス戸や障子戸等の室内側の空きスペースに断熱体をはめ込むことにより成り、断熱体が冷暖熱を遮蔽する効果を利用することにより、室内への温度環境の悪化を低減させることを特徴とする遮蔽形体。
【考案の詳細な説明】
【利用分野】
【０００１】  本考案は、日よけや熱気や冷気等を防ぎ、室内の温度環境の悪化を低減することに役立つものであり、さらには、省エネにつながることに関するものである。
【考案の概要】
【考案が解決しようとする課題】
【０００２】  カーテンやブラインドや簾等を用いて直射日光の室内への照射を遮り、室内への温度環境の悪化を防止している。しかし、それだけでは遮きれない放射熱や輻射熱が室内への温度環境を悪化させ、エアコン等の電力に負荷をかけている。【０００３】  また、外気による熱気や冷気の影響が室内への寒暖に影響し、温度環境を悪化させ、室内の冷房や暖房のための手段を取らざるを得ないような状況になっている。
【課題を解決するための手段】
【０００４】  本考案は、雨戸やガラス戸や障子戸等の居住側の空きスペースを有効活用して、該雨戸や該ガラス戸や該障子戸等の枠に囲まれた凹み面に断熱体をはめ込むことにより、室内の温度環境の悪化を低減させることを特徴とする遮蔽形体。
【考案の効果】
【０００５】  断熱体が有する熱気や冷気を遮蔽する効果を利用することにより、室内への温度環境の悪化を低減させることに役立つ。【０００６】  また朝夕の日差しの移動や外気温の変化に応じて、該雨戸や該ガラス戸や該障子戸の開け閉めが自由にでき、室内の温度環境の調節が簡便にできる。
【図面の簡単な説明】
【０００７】
【図１】雨戸に断熱体をはめ込んだ実施例の正面図である。
【図２】ガラス戸に断熱体をはめ込んだ実施例の正面図である。
【図３】障子戸に断熱体をはめ込んだ実施例の正面図である。
【符号の説明】
【０００８】  １  断熱体
２  雨戸ロック部の断熱体の切り欠き部分
３  ガラス
４  断熱体支持具
【図１】
0003184401.tif 000003
【図２】
0003184401.tif 000004
【図３】
0003184401.tif 000005
(57)【要約】      （修正有）【課題】寝具のマットレスや敷布団を、敷いたままで乾燥させることができる敷き布団及びマットレスの乾燥板を提供する。【解決の手段】容易にねじれない横長で長方形の平板の一端を丸くして角を取り、それに少し大きめのカバ−を被せる。ベッドや床に敷いたマットレスの間と敷き布団の間にこの乾燥板を複数、水平に挿入後９０°回転させると床との間に空間ができ、乾燥しやすくなる。【選択図】図１
0003184402.tif 000002
【実用新案登録請求の範囲】
【請求項１】
横に長く長方形をした平らな板の一端を丸くして角を取り、その平板に多少大きめのカバ−を被せて成る、敷き布団及びマットレスの乾燥板
【考案の詳細な説明】
【技術分野】
【０００１】本考案はマットレス及び敷き布団を、敷いたままの状態で乾燥させるための物である
【背景技術】
【０００２】布団やマットレスを屋外で太陽光に当てて乾燥させたり、布団乾燥器などの器具を使って乾燥させていた。
【先行技術文献】
【特許文献】
【０００３】
【特許文献１】
【特許文献２】
【非特許文献】
【０００４】
【非特許文献１】
【考案の概要】
【考案が解決しようとする課題】
【０００５】一般に、布団を乾燥させるのは日光に当てるのが良いが、干す場所が無かったり、布団の上げ下ろしが出来ないなどの事情により、布団を干す事が出来ない場合に、布団及びマットレスを敷いたままの状態で乾燥させると共に、床やベットにも風邪を当てて乾燥させる事を目的としている。
【課題を解決するための手段】
【０００６】上記の目的を達成するために、図１の様に横に長く、長方形をした板の一方の端を丸くして角を取り、その乾燥板に図２のカバ−を被せて、ベットや床に敷いたマットレスの間と敷き布団の間に挿入しやすくする。そのカバ−に入った乾燥板を図３の様にマットレスと床の間に複数水平に挿入し、次にマットレスの上の敷布団の間にも等間隔で水平に挿入し、それぞれ９０度回転させると、図４の様に床とマットレスと敷き布団の間に空間ができ、その空間に外気やエアコン、扇風機等で風を送り乾燥させる。
【考案の効果】
【０００７】従来布団を乾燥させるのには、外で太陽に当てて干したり、乾燥器具を使っていた。
しかしマットレスや布団は重たくて頻繁には干す事が出来なかっり、干す場所が無いなどの理由で布団乾燥機を使っていたが、布団乾燥機では布団は乾燥できてもベットや床の乾燥までは出来ず、長く布団を上げないとカビが発生してしまった。カビを防ぐのにスノコを敷いたりしていた。  カビは空気が通わない事に原因があるため、本考案はベットや床に敷いたマットレスと敷布団の間に横長の板を差し込み、９０度回転させるだけで、それぞれに空間ができるのでエアコンや扇風機などで風を送れば布団が乾燥すと同時に、床も乾燥できカビの防止にもなる。使用後は板を水平に戻し引き抜くとカバ−だけが残り、次に差し込む時布団を傷つける事もなく容易に差し込む事が出来る。また力のいる布団の上げ下ろしは必要なく、乾燥板を差し込み９０度回転させるだけなので力は使わず頻繁に布団や床の乾燥ができ、使終わったら、器具も場所を取らない。
【図面の簡単な説明】
【０００８】
【図１】  乾燥板の斜見図
【図２】  乾燥板のカバ−の斜見図
【図３】  乾燥板を差し込んだ状態の正面図
【図４】  使用状態を示す正面図
【考案を実施するための形態】
【実施例】
【０００９】およそ縦１０センチ長さ９０センチ位で容易にねじれない、横長で長方形をした平板の一端に丸みをもたせて角を取り、その平板に少し大きめのカバ−を被せて成る、敷き布団及びマットレスの乾燥板。
【産業上の利用可能性】
【００１０】本考案は構造も簡単で安価で製造でき、使用後は場所も取らない。
【符号の説明】
【００１１】１  乾燥板
２  乾燥板カバ−
３  敷き布団
４  マットレス
５  床又はベット
【図１】
0003184402.tif 000003
【図２】
0003184402.tif 000004
【図３】
0003184402.tif 000005
【図４】
0003184402.tif 000006
(57)【要約】【課題】使用しないときは傘布を閉じて筒状カバー内に收納し、雨水が床面を濡らさないようにするとともに、携帯と収納に便利な、筒状カバーを備えた雨傘を提供すること。【解決手段】中空で一端面が開口した筒状カバー１と、筒状カバー１に収納可能な傘本体２を含み、傘本体２は、折りたたみ可能な傘布２１と、伸縮可能な中棒２２を備え、中棒２２の一端が傘布２１に連結され、中棒２２の他端が筒状カバー１の内部に挿入されて底面に連結され、使用時は、中棒２２を延ばして傘布２１を広げ、使用しないときは、中棒２２を縮めると共に傘布２１を閉じて筒状カバー１内に押し入れ、傘本体２を筒状カバー１内に収納可能とする。【選択図】  図１
0003184436.tif 000002
【実用新案登録請求の範囲】
【請求項１】
中空で一端面が開口した筒状カバーと、前記筒状カバーに収納可能な傘本体を含み、前記傘本体は、折りたたみ可能な傘布と、伸縮可能な中棒を備え、前記中棒の一端が前記傘布に連結され、前記中棒の他端が前記筒状カバーの内部に挿入されて底面に連結され、使用時は、前記中棒を延ばすと共に、傘布を広げて太陽や雨を遮蔽可能であり、使用しないときは、前記中棒を縮めると共に傘布を閉じて、傘布及び中棒を筒状カバー内に押し入れ、傘本体を筒状カバー内に収納可能としたことを特徴とする、筒状カバーを備えた雨傘。
【請求項２】
前記傘布の中心上端に前記筒状カバーの一端面を閉鎖可能な上蓋が設置され、前記傘本体を筒状カバー内に収納したとき、前記上蓋が前記筒状カバーの開口に閉じ合わせられることを特徴とする、請求項１に記載の筒状カバーを備えた雨傘。
【考案の詳細な説明】
【技術分野】
【０００１】
本考案は、使用しないとき傘布を閉じて筒状カバー内に収納でき、雨水で床面を濡らさないようにすると同時に、携帯と収納に便利な筒状カバーを備えた雨傘に関する。
【背景技術】
【０００２】
雨天時に雨傘を屋外から屋内に持ち込む際には、通常、雨傘を手で少し振って水を切ってから屋内に持ち込むが、このような方法では雨傘の傘布に付着した雨水をしっかりと切ることができないため、雨水が床面に落ち、床面が濡れて水がたまり、歩行時に滑りやすくなって危険である。このため、ショッピングセンターやオフィスビル、あるいは公共の場所では入口にビニル袋が置かれ、来賓はビニル袋を雨傘に被せて使用する。
この方法は雨水が床面に落ちるのを防止できるものの、使用上不便であり、また大量のビニル袋を使用するため、日増しに重視されている環境保護の要求を満たすことができない。また、折りたたみ傘の場合、閉じた後に傘カバーに収納できるが、従来の傘カバーは通常布製であり、防水効果が不十分であり、収納にもやや不便である。
【考案の概要】
【考案が解決しようとする課題】
【０００３】
本考案が解決しようとする課題は、使用しないときは傘布を閉じて筒状カバー内に収納し、雨水が床面を濡らさないようにするとともに、携帯と収納に便利な、筒状カバーを備えた雨傘を提供することにある。
【課題を解決するための手段】
【０００４】
本考案の筒状カバーを備えた雨傘は、中空で一端面が開口した筒状カバーと、前記筒状カバーに収納可能な傘本体を含み、前記傘本体は、折りたたみ可能な傘布と、伸縮可能な中棒を備え、前記中棒の一端が前記傘布に連結され、前記中棒の他端が前記筒状カバーの内部に挿入されて底面に連結され、使用時は、前記中棒を延ばすと共に、傘布を広げて太陽や雨を遮蔽可能であり、使用しないときは、前記中棒を縮めると共に傘布を閉じて、傘布及び中棒を筒状カバー内に押し入れ、傘本体を筒状カバー内に収納可能としてある。
前記傘布の中心上端に前記筒状カバーの一端面を閉鎖可能な上蓋が設置され、前記傘本体を筒状カバー内に収納したとき、前記上蓋が前記筒状カバーの開口に閉じ合わせられるとよい。
【考案の効果】
【０００５】
本考案によれば、傘を必要とする際には、通常の折り畳み傘と同様に、中棒を伸ばして傘布を広げ、筒状カバーを握って使用することができ、不用時には、傘布を閉じて筒状カバー内に収容できるので、雨水で床面を濡らさないようにできるとともに、携帯と収納にも便利である。
【図面の簡単な説明】
【０００６】
【図１】本考案の実施例を示す筒状カバーを備えた雨傘の斜視図である。
【図２】本考案の実施例を示す筒状カバーを備えた雨傘の使用状態における斜視図である。
【図３】本考案の実施例を示す筒状カバーを備えた雨傘の収納途中における斜視図である。
【図４】本考案の実施例を示す筒状カバーを備えた雨傘の収納後における斜視図である。
【考案を実施するための形態】
【０００７】
以下、本考案の実施例を図面に基づいて詳細に説明する。
図１は、本考案の筒状カバーを備えた雨傘の斜視図である。図１に示すように、本考案の雨傘は中空の筒状カバー１と、筒状カバー１に収納可能な傘本体２を含む。
傘本体２は、開閉及び折り畳み可能な骨で支持された折りたたみ可能な傘布２１と、伸縮可能な中棒２２を含む。中棒２２の一端は傘布２１の裏面中心部に連結される。
筒状カバー１は、一端面が開口しており、中棒２２の他端は筒状カバー１の内部に挿入されて底面に連結されている。
また、傘布２１の中心上端には、筒状カバー１の一端面を閉鎖可能な上蓋２３が設置される。
筒状カバー１及び上蓋２３を除いて、傘布２１と中棒２２の構造は、通常の折り畳み傘と変わるところはない。
【０００８】
この雨傘を使用する時は、図２に示すように、中棒２２を伸ばして傘本体２を筒状カバー１内から引き出し、傘布２１を広げる。そして、手で筒状カバー１を握って、一般的な雨傘や日傘を同じように太陽や雨を遮蔽するために使用する。
雨傘を使用しないときは、図３に示すように傘布２１を閉じた後、図４に示すように、中棒２２を縮めて、閉じた傘布２１及び中棒２２を筒状カバー１内に押し入れ、上蓋２３を筒状カバー１の開口に閉じ合わせて、雨傘を筒状カバー１内に収納する。
これにより、雨水で床面を濡らさないようにするとともに、携帯と収納に便利である。
【０００９】
以上のように本考案の筒状カバーを備えた雨傘は、上蓋２３を設置した傘布２１と、筒状カバー１に連結された中棒２２によって構成されたものであり、雨傘を使用しないとき、傘布２１を閉じて筒状カバー１内に収納することができ、雨水で床面を濡らさないようにするとともに、携帯と収納に便利である。
【００１０】
以上は本考案の最良の実施形態を説明したものであり、本考案の権利範囲を限定するものではなく、本考案の要旨を逸脱せずに若干の修飾や変更を加えたものは、本考案の権利範囲に含まれる。
【符号の説明】
【００１１】
１        筒状カバー
２        傘本体
２１      傘布
２２      中棒
２３      上蓋
【図１】
0003184436.tif 000003
【図２】
0003184436.tif 000004
【図３】
0003184436.tif 000005
【図４】
0003184436.tif 000006
(57)【要約】      （修正有）【課題】座席の位置が低くても暑さを極力防ぐことができる防暑シート及びベビーカーを提供する。【解決手段】防暑シート１は、ベビーカーの座席２の背面側に取り付けられており、座席２の背面との間に上下に開放された空気の流路を有している。流路の最下部には、流路内の空気を外部に排出する換気扇２０が設けられており、これにより、ベビーカーの座席２の背面に上から下へ低温の空気の流れを生じさせ、ベビーカーのシート位置での温度上昇を抑制する。【選択図】図３
0003184440.tif 000002
【実用新案登録請求の範囲】
【請求項１】
座席の背もたれの背面側に取り付けられ、
前記座席の背面との間に上下に開放された空気の流路を有し、
前記流路の最下部に、前記流路から空気を排出する換気扇が設けられている防暑シート。
【請求項２】
請求項１に係る防暑シートが設けられたベビーカー。
【考案の詳細な説明】
【技術分野】
【０００１】
この考案は、防暑シート及びベビーカーに関する。
【背景技術】
【０００２】
ベビーカーは、乳幼児を寝かせたままで移動できるため便利であるが、乳幼児を寝かせる座席の位置は、かなり低く、路面にかなり近くなっている（例えば、特許文献１参照）。このため、夏場などでは、乳幼児が座る座席の位置は、かなり高温になっている。
【先行技術文献】
【特許文献】
【０００３】
【特許文献１】実用新案登録第３１５０６９４号公報
【考案の概要】
【考案が解決しようとする課題】
【０００４】
上述のように、ベビーシートでは、乳幼児が座る座席の位置での暑さ対策が急務となっている。
【０００５】
本考案は、上記実情に鑑みてなされたものであり、座席位置が低くても暑さを極力防ぐことができる防暑シート及びベビーカーを提供することを目的とする。
【課題を解決するための手段】
【０００６】
上記目的を達成するために、本考案に係る防暑シートは、
座席の背もたれの背面側に取り付けられ、
前記座席の背面との間に上下に開放された空気の流路を有し、
前記流路の最下部に、前記流路から空気を排出する換気扇が設けられている。
【０００７】
また、本考案に係るベビーカーは、
本考案に係る防暑シートが設けられている。
【考案の効果】
【０００８】
本発明によれば、座席の背面に上から下への空気の流れを生じさせることができる。この流れにより、座席位置での温度上昇を抑制することができるので、座席の位置が低くても暑さを極力防ぐことができる。
【図面の簡単な説明】
【０００９】
【図１】この考案の実施の形態に係るベビーカーの全体的な構成を示す斜視図である。
【図２】図１の防暑シートをベビーカーから取り外した状態の図である。
【図３】空気の流れを示す図である。
【考案を実施するための形態】
【００１０】
本考案の実施の形態について、図面を参照して詳細に説明する。
【００１１】
図１には、この考案の実施の形態に係るベビーカーの全体的な構成が示されている。図１では、ベビーカー１００を斜め後方から見ている。図１に示すように、防暑シート１は、ベビーカー１００の座席２の背面に取り付けられている。
【００１２】
図２には、防暑シート１をベビーカーから取り外した状態が示されている。図２では、ベビーカー１００の座席２に取り付けられる側が上面となっている。図２に示すように、防暑シート１は、シート部１０を中心に構成されている。シート部１０は、Ａ側が、ベビーカー１００のシート２の上部に取り付けられ、Ｂ側が、シート２の下部に取り付けられる。
【００１３】
シート部１０の外縁には、外縁部１１が取り付けられている。外縁部１１の上面は、例えばマジックテープ（登録商標）等となっており、この部分が、ベビーカー１００のシート２に取り付けられる。ベビーカー１００のシート２とシート部１０と外縁部１１とにより、内部の空間が形成されている。Ａ側には、外縁部１１が設けられているので、ベビーカー１００に取り付けられた状態では、上部で外部に開放されるようになる。
【００１４】
また、シート部１０には、複数のスペーサ１２が、均等に設けられている。このスペーサ１２により、内部の空間がつぶれないようになっている。
【００１５】
シート部１０のＢ側には、換気扇２０が設けられている。換気扇２０は、内部の空間を外部に排出するために設けられている。換気扇２０は、ケーブル２１を介して、スイッチ２２に接続されている。スイッチ２２は、換気扇２０をオンオフするスイッチである。スイッチ２２は、ベビーカー１００の例えばハンドル等の位置に設置されている。この換気扇２０により、ベビーカー１００に取り付けられた状態では、内部空間は、下部で外部に開放された状態となっている。
【００１６】
図３には、防暑シート１によって形成される内部空間の空気の流れが示されている。図３に示すように、スイッチ２２により換気扇２０がオンになると、換気扇２０により、内部空間の空気が外部に排出されるようになる。これにより、内部空間には、上部から空気が流入し、上部から下部への空気の流れができる。この空気の流れにより、ベビーカー１００のシート２の温度上昇が抑制される。
【００１７】
本実施の形態では、下部から上部ではなく、上部から下部への空気の流れが形成されている。上部の空気は、下部の空気に比べ、低温となっている。その上部の空気を、シート２の背面に流すことができるので、温度上昇の抑制効果をさらに高めることができる。
【００１８】
以上詳細に説明したように、本実施の形態によれば、ベビーカー１００の座席２の背面に上から下への空気の流れを生じさせることができる。この流れにより、ベビーカーの座席の位置での温度上昇を抑制することができるので、座席の位置が低くても暑さを極力防ぐことができる。
【００１９】
なお、本実施の形態に係る防暑シート１は、ベビーカー１００以外、例えば、普通の椅子などにも適用することができる。
【００２０】
なお、防暑シート１は、マジックテープ（登録商標）でベビーカー１００に取り付けられるものとしたが、これには限られず、防暑シート１は、接着剤等でベビーカー１００に接着されるようにしてもよい。
【００２１】
この考案は、この考案の広義の精神と範囲を逸脱することなく、様々な実施の形態及び変形が可能とされるものである。また、上述した実施の形態は、この考案を説明するためのものであり、この考案の範囲を限定するものではない。すなわち、この考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２２】
この考案は、ベビーカー等に用いられるのに好適である。
【符号の説明】
【００２３】
１    防暑シート
２    座席
１０  シート部
１１  外縁部
１２  スペーサ
２０  換気扇
２１  ケーブル
２２  スイッチ
１００    ベビーカー
【図１】
0003184440.tif 000003
【図２】
0003184440.tif 000004
【図３】
0003184440.tif 000005
(57)【要約】      （修正有）【課題】一対の板片からなる組板片の多数組を簡単に連結して折り畳み、展開可能とする組板片折畳式プラスチックマットを提供する。【解決手段】一対の板片１０からなる多数組の組板片から構成され、各組板の板片は底面で一体成型されて底面に長さ方向に沿って複数の補強条を設けると共に各一対の板片を跨いで間隔を開けて複数の連結条１１を設け、各連結条はそのコノ字型開口を閉塞する封閉板１２を設置し、また、各組板片の外側両端に連結孔１５を備えた連結板１４を設置して、これらの連結孔に係合する係合凸２１を両端に備えた折り曲げ可能な連接片２０を設け、これらの折り曲げ可能な連接片により各組板片を相互に連結して一体とすると共に、折り畳み可能とした。【選択図】図１
0003184451.tif 000002
【実用新案登録請求の範囲】
【請求項１】
一対の板片からなる組板片により構成する折畳式プラスチックマットにおいて、
一対の板片からなる多数組の組板片から構成され、各組板の板片は底面で一体成型されて底面に長さ方向に沿って複数の補強条を設けると共に各一対の板片を跨いで間隔を開けて複数の連結条を設け、
各連結条はそのコノ字型開口を閉塞する封閉板を設置し、
また、各組板片の外側両端に連結孔を備えた連結板を設置して
これらの連結孔に係合する係合凸を両端に備えた折り曲げ可能な連接片を設け、
これらの折り曲げ可能な連接片により各組板片を相互に連結して一体とすると共に、折り畳み可能とした、
ことを特徴とする組板片折畳式プラスチックマット。
【考案の詳細な説明】
【技術分野】
【０００１】
本考案は、一対の板片からなる組板を連接して構成する片畳式プラスチックマットに関するものである。
【背景技術】
【０００２】
公知のプラスチックマット構造は、予定サイズ面積の板片から構成され、これらの板片の側辺には相互に掛合する連結凸、連結孔が設けられていて、更に多数の板片を相互に掛合して連結することにより大面積を形成する。
【先行技術文献】
【特許文献】
【０００３】
【特許文献１】特許第４３１２１７６号
【考案の概要】
【考案が解決しようとする課題】
【０００４】
解決しようとする問題点は、従来の多数個の板片の組合構造からなるプラスチックマットは、その周辺を直接相互に掛合して構成するため、使用しないで収納する場合、これらの板片を一つ一つ取り外して多数個の板片を重ねて積まなければならない。また、次に使用する時には再びこれらを一つ一つを組み合わせなければならない。言い換えると、組立、解体が面倒である。また、大面積にする場合、より多くの板片を組み立てなければならず、強度、剛性が不足して大面積の水平面を保つことができないため、床マットとして使用するのは不適当である点である。
【課題を解決するための手段】
【０００５】
本考案は、一対の板片から構成する多数組の組板片を相互に折曲げ可能な連接片によって相互に連接し、それで一体にすることで、折り畳んで小体積にしたり、展開して大面積のマット体にしたりする。一対の板片は底面に一体成型により一対の板片に跨って複数の連結条を設置し、また、各板片の底辺側にその長さ方向に沿って複数の補強条を設けることによって、組板片に耐久強度、剛性を持たせると共に、
組板片上に敷設するマット体を地面から持ち上げて高さをもたせることで湿気を遠ざける。各組板片の外側辺には折り曲げ可能な連結板を設置し、各連結板は連結孔を備えて連接片の掛合凸と掛合し、多数組の組板片を連接して、折り畳んだりして使いやすくすることを最も主要な特徴とする。
【考案の効果】
【０００６】
本考案の組板片折畳式プラスチックマットは、多数の組板片を連結して一体にし、折り曲げて少体積にしたり、使用時にはスピーディに展開して広げたりすることで使用しやすいという利点がある。
【図面の簡単な説明】
【０００７】
【図１】本考案多数組の板片を組み合わせた正面立体図である。
【図２】本考案の底面立体分解図である。
【図３】本考案の折畳指示図である。
【図４】本考案のマット展開指示図である。
【考案を実施するための形態】
【０００８】
本考案では上述の公知欠点に鑑み、多数組の一対の板片で構成される組板片からなり、各板片はその底面に長さ方向に沿って一体成型の補強条および一対の板片に跨って連結する複数の連結条を備え、補強条が耐久強度、剛性を高めて、大面積のマット体の水平面を保持し、床マットの用途として使用する。また、各組板片の外側に連結板を設置し、連結板は連結孔を備え、折曲げ可能な連接片を設置して連結板の連結孔に係合して各組板片を連結して組み立てる組板片折畳式プラスチックマットを提供することを本考案の主な目的とする。
【実施例】
【０００９】
図１、２、３は、多数組の一対の板片を組み立てて構成する。各組の一対の板片１０は底面が一体成型され、間隔を開けてその長さ方向に配置された複数の補強条１３及び一対の板片を跨いで相互に連結する連結条１１を備える。連結条１１はそのコノ字開口を封鎖する封閉板１２を設置し、また各組二板片１０の外側の両端には連結板１４を設置する。連結板１４には連結孔１５を備え、折曲げ可能な連接片２０を設置する。
連接片２０は両端に掛合凸２１を備えて設置し、掛合凸２１は連結板１４の連結孔１５に掛合し、各組の二板片１０を連結一体にして大面積を形成する。
【００１０】
上述の構造によって以下の長所を備える。
図１、４に示すとおり、多数組の一対の板片１０を連接一体にして大面積を形成することで床マットの用途として使用し、板片１０上にマット体２２を置き、それぞれの板片１０底面には連結条１１、封閉板１２を備え、板片１０上に敷かれたマット体２２を床面より高く上げて地面の湿気から遠ざける効果を形成する。
【００１１】
使用せずに収納する時、図３に示すとおり、各一対の板片１０の間には折曲げ可能な連接片２０を連接してあるため、各一対の板片１０の間で折りたたむことによって、小体積にする。次に使用する時には即座に展開して使用する。
【００１２】
板片１０表面は、カビ防止用の抗菌ニスを塗布する。
【００１３】
板片１０は、底面側にその長さ方向に複数の細長状の補強条１３、及び二つの板片１０に跨って連結条１１を備えることで、耐久強度、剛性が向上し、大面積のマット体の水平面を確保する。
【００１４】
上述のとおり、本考案の構造は実用性及び効果を高め、実用新案登録の条件に符合する。
【符号の説明】
【００１５】
１０        板片
１１        連結条
１２        封閉板
１３        補強条
１４        連結板
１５        連結孔
２０        連接片
２１        掛合凸
２２        マット体
１０１        通気孔
【図１】
0003184451.tif 000003
【図２】
0003184451.tif 000004
【図３】
0003184451.tif 000005
【図４】
0003184451.tif 000006
(57)【要約】      （修正有）【課題】塗布作業の作業時間を短縮し、安全性を確保し、刷毛だれによる周囲の汚れ、手の汚れを無くす事によって作業効率を上げる粘液性塗布具を提供する。【解決手段】手動式の加圧容器の吹き出し口に嵌合するように雄ネジ付流通筒４、パッキン５又はネジ切部品との一体物を空気が漏れないようにしっかりと密着し、また必要があれば接着させ、それに刷毛１、固定用バンド２、パイプ３、雌ネジ付キャップを一体化させたものを嵌合し片手作業で塗布作業を行う。塗布作業をしないときは雌ネジ側を取り外し乾燥しない様に洗浄手入れを行い、雄ネジ側には加圧容器の吹き出し口が乾燥しない様仮キャップを取り付ける。【選択図】図１
0003184860.tif 000002
【実用新案登録請求の範囲】
【請求項１】
手動式の加圧容器に嵌合する雄ネジ側の内部には容器の吹き出し口の形状に合わせたパッキン、または、ネジ切部品を一体化させ、また雄ネジと嵌合する雌ネジキャップの蓋の部分には刷毛の大きさに合わせ数本の流通用パイプを設けその周りに刷毛を固定一体化させた粘性液体の塗布具。
また狭隘区画用に延長具を提供する。
【考案の詳細な説明】
【技術分野】
【０００１】  この考案は塗料や接着剤等の粘性液体を連続的に塗布する為の塗布具に関する物である。
【背景技術】
【０００２】現在の塗布作業は手刷毛と粘性液体を入れた容器を両手に持って手刷毛を塗布部分と容器との間で頻繁に繰り返し移動させることにより行っている。
【考案の概要】
【考案が解決しようとする課題】
【０００３】現在一般に行われている塗布作業では、手刷毛と粘性液体を入れた容器を両手に持って手刷毛を塗布部分と容器との間で頻繁に繰り返し移動させることによりかなりの作業時間を要したり、刷毛だれによって周囲を汚しクレームが発生したり、刷毛を持った手が汚れ衛生面でも問題がありその対策の為作業効率も落ちるなどの課題がある。
また両手が塞がっている為安全上危険要因の一つとなっているという課題もある。
【課題を解決するための手段】
【０００４】手動式の加圧容器に考案する塗布具を取り付けることにより片手で容器内の粘性液体を刷毛に随時加圧供給しながら連続的に塗布作業を行うことを可能にする。
【考案の効果】
【０００５】片手で容器内の粘性液体を刷毛に随時加圧供給しながら連続的に塗布作業を行うことを可能にすることで従来のように刷毛を塗布部分と容器の間で頻繁に繰り返し移動する作業を低減し、もって作業時間を削減する効果がある。
また塗布状況に応じ粘性液体を随時刷毛先に供給することで刷毛だれを無くし周囲を汚すことや手が汚れたりなどの作業効率悪化要因を少なからず無くす効果がある。
【図面の簡単な説明】
【０００６】
【図１】本考案の塗布具の断面図
【図２】狭隘区画用の補助延長具断面図
【考案を実施するための形態】
【０００７】手動式の加圧容器の吹き出し口に嵌合するように図１の４雄ネジ付流通筒  ５パッキン又はネジ切部品との一体物をしっかりと密着させ、それに図１の１刷毛  ２固定用バンド  ３パイプ、雌ネジ付キャップを一体化させたものを嵌合し片手作業で塗布作業を行う。
【実施例】
【０００８】手動式の加圧容器の吹き出し口に嵌合するように図１の４雄ネジ付流通筒  ５パッキン又はネジ切部品との一体物を空気が漏れないようにしっかりと密着し、また必要があれば接着させ、それに図１の１刷毛  ２固定用バンド  ３パイプ、雌ネジ付キャップを一体化させたものを嵌合し片手作業で塗布作業を行う。
塗布作業をしないときは雌ネジ側を取り外し乾燥しない様に洗浄手入れを行い、雄ネジ側には加圧容器の吹き出し口が乾燥しない様仮キャップを取り付ける。
尚、狭隘区画での作業には図２に示す補助延長具を図１の１刷毛  ２固定用バンド  ３パイプ、雌ネジ付キャップを一体化させた物と４雄ネジ付流通筒  ５パッキン又はネジ切部品との一体化させた物の間に嵌合する事で作業性を高める。
【符号の説明】
【０００９】１  刷毛
２  固定用バンド
３  パイプ、雌ネジ付キャップ
４  雄ネジ付流通筒
５  パッキン又はネジ切部品
６  補助延長具
【図１】
0003184860.tif 000003
【図２】
0003184860.tif 000004
【手続補正書】
【提出日】平成25年3月25日(2013.3.25)
【手続補正１】
【補正対象書類名】実用新案登録請求の範囲
【補正対象項目名】全文
【補正方法】変更
【補正の内容】
【実用新案登録請求の範囲】
【請求項１】
手動式の加圧容器に嵌合する雄ネジ付流通筒の内部に、前記加圧容器の吹き出し口の形状に合わせたパッキン、または、ネジ切部品を設け、前記雄ネジ付流通筒の雄ネジと嵌合する雌ネジを有する雌ネジ付キャップの蓋の部分に、刷毛の大きさに合わせた数本の流通用パイプを設け、前記流通用パイプの周りに前記刷毛を固定させたことを特徴とする粘液性塗布具。
【請求項２】
前記雄ネジ付キャップと前記雌ネジキャップの間に補助延長具を設けたことを特徴とする請求項１に記載の粘液性塗布具。
(57)【要約】      （修正有）【課題】軽量化された発電装置の回転軸と前記回転軸を用いた水力発電装置又は風力発電装置を提供する。【解決手段】木材板、硬質プラスチック及び発泡スチロール等、軽量の物によって構成された発電装置用の回転軸であって、前記回転軸が挿入される穴の中心から放射状に設けられた４つ爪を有する羽根板を複数備え、前記複数の羽根板を、前記回転軸に１ｃｍ〜２ｃｍの間隔を空けて所定の角度ずらして配置することで、前記複数の羽根板を螺旋状に配置したことを特徴とする発電装置用の回転軸と、木材及び木板、鉄骨及び鉄板から構成され、かつ、前記回転軸を用いたことを特徴とする門型の水力発電装置又は長方体の形状の風力発電装置。【選択図】図１
0003184859.tif 000002
【実用新案登録請求の範囲】
【請求項１】
回転軸に取り付ける羽根板で円形で４っ爪を有するもので、１枚１枚の板を１ｃｍ〜２ｃｍ位づらしながら連結し、螺旋状態を現出し、風力及び水力を利用し回転軸を回転させ発電機を回転させ発電を促すものである。
使用する材質に就いては、木材板、硬質プラスチック及び発泡スチロール等、軽量の物とする
【請求項２】
羽根板取付けの回転軸を用いる事を特徴とする、小水力発電装置及び風力発電装置であり、門型の形状の水力発電装置、長方体の形状の風力発電装置である。使用材については、木材及木板、鉄骨及び鉄板を使用する。
【考案の詳細な説明】
【技術分野】
【０００１】小水力発電装置及び風力発電装置
【背景技術】
【０００２】水車及風力に依る回転を利用した発電装置
【先行技術文献】
【特許文献】
【０００３】小河川及び、海水の潮位の変動による起る、水位の落差を水ばねに流し、発電機を回転させ発電するものである。尚風力を回転ばねに当て発電機を回転させ発電するものである
【考案の概要】
【考案が解決しようとする課題】
【０００４】現在自然エネルギーが要求されている。原発全廃の手段
【課題を解決するための手段】
【０００５】小単位のグループの集合体が大きな力となる
【考案の効果】
【０００６】考案が実現出来れば小単位のグループが出来自給自足の実現が可能
【図面の簡単な説明】
【０００７】
【図１】回転軸に取り付ける円形で４っ爪を持つ羽根板の平面図
【図２】門形の小水力発電装置の正面図及側面図  直方体の風力発電装置の正面図
【考案を実施するための形態】
【０００８】河川の支流で急流又段差が有る場所、河川と海との接点に有り、潮位の干満の利用が考えられる場所
【実施例】
【０００９】ドイツに於いては原発全面廃止を目的に２５年前より取り入れられている
【産業上の利用可能性】
【００１０】あらゆる産業に於いて、水流の段差が得ること可なれば自己発電が可能となり、又風力発電に於いては一般家庭の庭先で設置可と考えられ容易に自家発電の利用が出来る。
〔例〕浄水場の排水放水時、プールの水替時、農業用水路
【図１】
0003184859.tif 000003
【図２−１】
0003184859.tif 000004
【図２−２】
0003184859.tif 000005
【手続補正書】
【提出日】平成24年12月8日(2012.12.8)
【手続補正１】
【補正対象書類名】実用新案登録請求の範囲
【補正対象項目名】全文
【補正方法】変更
【補正の内容】
【実用新案登録請求の範囲】
【請求項１】
木材板、硬質プラスチック及び発泡スチロール等、軽量の物によって構成された発電装置用の回転軸であって、前記回転軸が挿入される穴の中心から放射状に設けられた４つ爪を有する羽根板を複数備え、前記複数の羽根板を、前記回転軸に１ｃｍ〜２ｃｍの間隔を空けて所定の角度ずらして配置することで、前記複数の羽根板を螺旋状に配置したことを特徴とする発電装置用の回転軸。
【請求項２】
木材及び木板、鉄骨及び鉄板から構成され、かつ、請求項１に記載の回転軸を用いたことを特徴とする門型の水力発電装置又は長方体の形状の風力発電装置。
(57)【要約】      （修正有）【課題】フェンス取付工事等でネジ止め作業を行うときに、ナットを安定装着できるハンコ型ナット回しを提供する。【解決手段】ハンコ様で棒状の本体１の先端に、弾性ゴムもしくは軟質塩化ビニールやシリコーン材２を用いて、一般に使用される数種類のナットの径に合わせて、浅い筒状に形成したナットくわえ込み口３を設け、本体の他端にネジ回し４を取り付けたことを特徴とするハンコ型ナット回し。【選択図】図１
0003184899.tif 000002
【実用新案登録請求の範囲】
【請求項１】
ハンコ様で棒状の本体の先端に、弾性ゴムもしくは軟質塩化ビニールやシリコーン材を用いて、一般に使用される数種類のナットの径に合わせて、浅い筒状に形成したナットくわえ込み口を設け、本体の他端に、ネジ回しを取り付けたことを特徴とするハンコ型ナット回し。
【考案の詳細な説明】
【技術分野】
【０００１】  本考案は、ネジ取付作業を容易にする補助具に関するものである。
【背景技術】
【０００２】  従来、ネジ取付作業は、ボルトをナットにねじ込むことで対象物を固定するのだが、手順として、受けのナットは指先で押さえながら、そこにボルトを差し込んでいた。
【考案の概要】
【考案が解決しようとする課題】
【０００３】  フェンス取付工事等でネジ止め作業を行うとき、ネジ穴にボルトを押し当て、受けのナットにねじ込むようにして締め付けて行く。
その際、ナットを指先の腹で押さえながら安定させて、ボルトを先端から差し込むのであるが、熟練工でも作業に手間取りがちになる。
本考案は以上の問題点を解決する為になされたものである。
【課題を解決するための手段】
【０００４】  ハンコ様で棒状の本体の先端に、弾性ゴムもしくは軟質塩化ビニールやシリコーン材を用いて、一般に使用される数種類のナットの径に合わせて、浅い筒状に形成したナットくわえ込み口を設け、本体の他端にネジ回しを取り付ける。
以上を特徴とするハンコ型ナット回しである。
【考案の効果】
【０００５】  ナットくわえ込み口をナットに軽く押し当てて装着し、その固定されたナットにボルトを軽く押し当て、僅かに回せばボルト先端にネジ山がはまり込み、ネジ回しでボルトを簡単に締めることが出来るので、ナットに従来のようにボルトを通すのに指先が安定せず時間が掛かっていらだってしまうというような事がない。
【図面の簡単な説明】
【０００６】
【図１】  本考案の側面図
【図２】  本考案の使用に際し、ナットくわえ込み口にナットを押し当てそれにボルトを差し込んだ状態を示す側面図
【図３】  本考案の使用例を示す斜視図
【考案を実施するための形態】
【０００７】  以下、本考案の実施の形態を説明する。
（イ）ハンコ様で棒状の本体（１）の先端に弾性ゴムもしくは軟質塩化ビニールやシリコーン材（２）を用いて、一般に使用される数種類のナットの径に合わせて、浅い筒状に形成したナットくわえ込み口（３）を設ける。
（ロ）本体の他端にネジ回し（４）を取り付ける。
本考案は以上のような構造である。
本考案を使用する時はナットくわえ込み口（３）をナット（５）に軽く押し当てて装着し、その固定されたナット（５）にボルト（６）を軽く押し当て、僅かに回せばボルト（６）先端にネジ山がはまり込み、ネジ回し（４）でボルト（６）を簡単に締めることが出来るので、従来のようにナット（５）にボルト（６）を通すのに指先が安定せず時間が掛かっていらだってしまうというようなことがない。
【符号の説明】
【０００８】１  本体、  ２  弾性ゴムもしくは軟質塩化ビニールやシリコーン材、  ３  ナットくわえ込み口、  ４  ネジ回し、  ５  ナット、  ６  ボルト、
【図１】
0003184899.tif 000003
【図２】
0003184899.tif 000004
【図３】
0003184899.tif 000005
(57)【要約】      （修正有）【課題】押印の都度のキャップ脱着または印鑑ケースからの取り出しを行なうことなく片手で押印作業ができ、未使用時のインクまたは朱肉の乾燥を防止し、かつ使用頻度の高い箇所へ固定可能とするキャップレス印鑑収納スタンドを提供する。【解決手段】印鑑収納容器２の印鑑挿入部に取り外し可能な変形性素材によるシーラー３を設けて外気の進入を遮断しインクまたは朱肉の乾燥を抑制する。不要となった付属キャップを底面に設けたキャップホルダー８に収納することで紛失を防止できる。スタンドベース１と印鑑収納容器２との接続部を２点とすることで印鑑収納容器２を回転させ印鑑の挿入角度を調整可能とする。スタンドベース１底部にマグネット板６または両面粘着シート６を備えることで他の場所への固定を容易にする。【選択図】図５
0003184891.tif 000002
【実用新案登録請求の範囲】
【請求項１】
印鑑収納容器（２）の印鑑挿入部に取り外し可能かつ上蓋（４）により固定するシリコンゴムなどの弾性を有する変形性素材の内部に空洞を持たせたシーラー（３）を設け、印鑑の未使用時に外気の進入を遮断しインクまたは朱肉の乾燥を抑制すると共に、不要となった印鑑に付属のキャップをスタンドベース（１）の底面に設けたキャップホルダー（８）に収納することで紛失を防止できることを特徴とする印鑑収納スタンド。
【請求項２】
スタンドベース（１）と印鑑収納容器（２）との接続部を印鑑収納容器（２）の中心を通る線上の２点とすることで印鑑収納容器（２）を回転させ印鑑の挿入角度を調整可能とし、スタンドベース（１）底面にマグネット板（６）を貼り付けることで机上や鉄製ドアもしくはキャビネットなどの金属製什器垂直面へ固定でき、またはスタンドベース（１）底部に両面粘着シート（６）を貼り付けることでマグネットが有効ではない場所への固定も容易にできることを特徴とする請求項１に記載の印鑑収納スタンド。
【考案の詳細な説明】
【技術分野】
【０００１】
本考案は、必要の都度キャップを取り外すことなく片手で印鑑を取り出し繰り返し押印できることを可能とし、かつ印鑑に浸潤されたインクまたは容器に納められた朱肉の乾燥を防止する構造を有し、置き場所によって印鑑挿入角度を変化できる印鑑保管用具に関するものである。
【考案の概要】
【考案が解決しようとする課題】
【０００２】
浸潤インクや朱肉の乾燥を防ぐためのキャップを使用の都度取り外す必要があるため両手を使用しなければならず、保管に於いては机やキャビネットの中または小物入れなどの収容具に他のものと混在保管され取り出しに不便さがあった。
【課題を解決するための手段】
【０００３】
本考案は、印鑑に浸潤したインクまたは印鑑収納容器内に取り付けた朱肉容器内の朱肉の乾燥を防止し、かつ片手で繰り返し押印作業をすることができ、また押印に際して印鑑を取り出しやすくして、前述の課題を解決しようとするものである。
課題を解決するために、第一考案は、印鑑に付属のキャップに代わる印鑑収納容器（２）の印鑑挿入部に取り外し可能なシリコンゴムなどの変形性素材によるシーラー（３）を設けて外気の進入を遮断しインクまたは朱肉の乾燥を抑制すると共に不要となった付属キャップを底面に設けたキャップホルダー（８）に収納することで紛失を防止する。  第二考案は、スタンドベース（１）と印鑑収納容器（２）との接続部を２点とすることで収納容器（２）を回転させ印鑑の挿入角度を調整可能とし、スタンドベース（１）底部にマグネット板（６）を貼り付けることで机上や鉄製ドアもしくはキャビネットなどの金属製什器垂直面への固定、またはスタンドベース（１）底部に両面粘着シート（６’）を貼ることでマグネットが有効でない場所へも固定でき印鑑の取り出しを容易にする。
【考案の効果】
【０００４】
第一考案により、個別のキャップを装着しなくても印鑑に浸潤されたインクまたは収納容器内に設けた朱肉の乾燥を防止でき、キャップの取り外し作業が不要となったことで書類等を片手で保持しながら一方の片手で押印作業が可能となる。  第二考案により、手の届く場所に好みの向きに固定することで印鑑を取り出し易くなる。
【図面の簡単な説明】
【０００５】
【図１】上面図  本考案を俯瞰した図である。
【図２】正面図  本考案を水平方向に見た図である。
【図３】側面図  本考案を水平かつ正面図に対し90度の方向から見た図である。
【図４】底面図  本考案を底面側から垂直方向に見た図である。
【図５】断面図  上面図のＡ−Ａの断面を示す図である。
【産業上の利用可能性】
【０００６】
インク浸潤方式の印鑑に於いては乾燥防止のためのキャップは不可欠であるが、逆に使用の都度キャップを外す必要があり、事務作業に際しては両手を使用してのキャップ着脱が作業の流れを中断させてしまう。  これを解決するための本考案は、片手の単一動作で収納具から印鑑を取り出すことで押印作業に利便性を与え、かつインク乾燥を抑制できる。  また、印鑑の保管場所として机上のみならずキャビネットまたは玄関ドアなどの垂直面に固定でき、保管場所の特定も容易となる。  本考案によるこれらの効果ならびに利用可能性は、インク浸潤方式以外の朱肉を使用する印鑑にも同様に提供できる。
【符号の説明】
【０００７】
１．  スタンドベース
２．  印鑑収納容器
３．  シーラー
４．  上蓋
５．  朱肉入れ
６．  マグネットまたは両面粘着シート
７．  固定ねじ
８．  キャップホルダー
【図１】
0003184891.tif 000003
【図２】
0003184891.tif 000004
【図３】
0003184891.tif 000005
【図４】
0003184891.tif 000006
【図５】
0003184891.tif 000007
【手続補正書】
【提出日】平成25年5月16日(2013.5.16)
【手続補正１】
【補正対象書類名】実用新案登録請求の範囲
【補正対象項目名】請求項２
【補正方法】変更
【補正の内容】
【請求項２】
スタンドベース（１）と印鑑収納容器（２）との接続部を印鑑収納容器の中心を通る線上の２点とすることで印鑑収納容器を回転させ印鑑の挿入角度を調整可能とし、スタンドベース底面に、マグネット板または両面粘着シートを備えることを特徴とする請求項１に記載の印鑑収納スタンド。